(57)【特許請求の範囲】
【請求項１】
中子と桟と下金具を備え、中子は天井に取り付けてあり、下金具は、中子の下の床に取り付けてあり、桟は、上キャップと下キャップを有しており、上キャップは、中子を受け入れる凹部を有し、下キャップは、下金具を取り付ける被取付部を有しており、凹部は、中子受け部と、中子受け部と連続する中子挿入空間を有し、中子挿入空間は、中子受け部よりも幅広であり、中子受け部は、桟を立て付ける向きを変えても内面が中子と接触して中子を回転不能に固定し、桟は、中子を中子挿入空間に挿入し、且つ中子を中子挿入空間から中子受け部に移動させるとともに、下キャップを下金具に落とし込んで取り付けることを特徴とする間仕切り。
【発明の詳細な説明】
【技術分野】
【０００１】
本発明は、室内あるいは室外を区画するための間仕切りに関するものである。
【背景技術】
【０００２】
間仕切りは、図７のように、桟４１を複数取り付けてユニット化した格子体４０やパネルを現場に搬送し、天井４４と床４５の間に金具４２，４３などを用いて取り付けるものであった。
【先行技術文献】
【特許文献】
【０００３】
【非特許文献１】「組立・施工手引書  スクリーンパーテーション格子調デザイン」  ＹＫＫＡＰ株式会社  ２０１１年  ７ページ
【発明の概要】
【発明が解決しようとする課題】
【０００４】
しかしながら、ユニット化された格子体やパネルなどの間仕切りは重量が嵩むため、現場までの搬送や取付作業などを複数人で行わなければならず、このことから、現場での施工に大変な手間と労力がかかるものであった。本発明は、上記課題を鑑みてなされたものであり、作業手間や労力がかからずに一人で施工ができる間仕切りを提供することにある。
【課題を解決するための手段】
【０００５】
本発明は、中子と桟と下金具を備え、中子は天井に取り付けてあり、下金具は、中子の下の床に取り付けてあり、桟は、上キャップと下キャップを有しており、上キャップは、中子を受け入れる凹部を有し、下キャップは、下金具を取り付ける被取付部を有しており、凹部は、中子受け部と、中子受け部と連続する中子挿入空間を有し、中子挿入空間は、中子受け部よりも幅広であり、中子受け部は、桟を立て付ける向きを変えても内面が中子と接触して中子を回転不能に固定し、桟は、中子を中子挿入空間に挿入し、且つ中子を中子挿入空間から中子受け部に移動させるとともに、下キャップを下金具に落とし込んで取り付けることを特徴とする。
【発明の効果】
【０００６】
本発明によれば、桟の上キャップに中子受け部よりも広い中子挿入空間を設けることで、中子受け部に中子を受け入れやすくなる。したがって、現場での作業が負担無く容易にできるとともに、一人で施工ができる。さらに、中子受け部より広い中子挿入空間を設けることで、間仕切りの見込み方向からでも見付け方向からでも建て込める。
【図面の簡単な説明】
【０００７】
【図１】（ａ）は、図２中のＢ−Ｂ線断面図であり、（ｂ）は、図２中のＣ−Ｃ線断面図であり、（ｃ）は、図２中のＤ−Ｄ線断面図である。
【図２】（ａ）は、本実施による間仕切りの全体正面図であり、（ｂ）は、図１（ｂ）中Ａを拡大して示す横断面図である。
【図３】（ａ）〜（ｄ）は、本実施による間仕切りの施工手順を示す縦断面図である。
【図４】（ａ）〜（ｄ）は、 図３（ａ）〜（ｄ）の各図を横断面して示すものである。
【図５】（ａ）（ｂ）は、本実施による間仕切りにおける他の桟の取付例を示す横断面図である。
【図６】（ａ）（ｂ）は、本発明の他の実施形態を示す横断面図である。
【図７】従来の間仕切りの施工を示す斜視図である。
【発明を実施するための形態】
【０００８】
以下に、図面に基づいて本実施による間仕切りの実施の形態を説明する。
本実施による間仕切りは、図１（ａ）〜（ｃ）と図２（ａ）のように、天井１０の上側に固定してある上レール１と、上レール１の長手方向に間隔をあけて複数取り付けてある中子２と、各中子２の下の床１１にそれぞれ固定してある下金具３と、上レール１と下金具３との間に取り付ける桟４とからなっている。上レール１は、一側と他側の外側見付け面に幕板５を取り付ける幕板取付部６が設けてあり、上レール１の見込方向の中央には、中子２をネジ７で固定する被固定部８が設けてある。幕板５は、略垂直な板材の上部内周側に略コ字型をなす上レール取付部５ａが設けてあり、上レール１の幕板取付部６に取り付けたときに、上レール１と桟４の隙間と中子２を外から隠蔽することができる。中子２は、断面略矩形状をなしており、上レール１から略垂直に延びている。下金具３は、見込方向に間隔をあけて起立する二枚の取付片３ａを有する側面視して略コ字型をなしており、床１１の各中子２と上下に対向する位置にネジ７で取り付けてある。桟４は、断面略矩形状をなす長尺な中空形材であり、長手方向の一端側には上キャップ１２を取り付けてあり、長手方向の他端側には下キャップ１３を取り付けてある。上キャップ１２は、図１（ａ）と図２（ｂ）のように、凹部１４を有しており、凹部１４は、桟４の見込み方向に長い長孔状に形成してあり、中子受け部２８と、中子受け部２８と連続する中子挿入空間２９を有している。中子挿入空間２９は、中子受け部２８よりも幅広に形成してあり、中子２を受け入れやすくなっており、さらに、中子受け部２８を囲む壁部３０は、中子挿入空間２９にある中子２を受け入れることから一側が開放した略コ字型をなしており、中子受け部２８の各壁部３０の内面３０ａが中子２の外周面にそれぞれ接触面積の広い状態で面接触することにより、中子２を回転不能に固定するものである。また、中子挿入空間２９から中子受け部２８に向かう両側の壁部３０は、それぞれが中子受け部２８側に向かうに従ってテーパー状に狭まっており、このテーパー部３１により中子挿入空間２９に挿入した中子２を中子受け部２８に受け入れやすく形成してある。また、中子挿入空間２９には、中子２を固定するための固定ピース１５が挿入され、固定ピース１５は、押さえ部１５ａとネジ差込部１５ｂと調整ネジ２７とからなっており、調整ネジ２７は、ネジ差込部１５ｂのネジ孔３２に出没自在に螺合してある。また、ネジ差込部１５ｂは、押さえ部１５ａに対して斜めに設けてあり、調整ネジ２７をネジ孔３２に差し込んだときに、中子２のコーナー部２ａに調整ネジ２７の先端を案内することができる。これにより、桟４の建て付け方向を９０°変えても固定ピース１５を固定したときに、隣りの桟４が邪魔にならずに調整ネジ２７をネジ止めすることができる。そして、固定ピース１５は、上キャップ１２の凹部１４の中子受け部２８に中子２が挿入された後、中子挿入空間２９に押さえ部１５ａを嵌合し、固定ピース１５の調整ネジ２７をネジ差込部１５ｂに差し込んで中子２の斜め方向からネジ込むことにより、調整ネジ２７が中子２のコーナー部２ａに当接して中子２と上キャップ１２間で突っ張り、桟４が中子受け部２８内でガタつくことなくしっかりと取付でき���ようにしてある。下キャップ１３は、図１（ｃ）のように、下部に下金具被取付部（被取付部）１６が設けてあり、桟４を落とし込んで下金具被取付部１６を下金具３に取り付ける。尚、図１中（ａ）（ｂ）の符号２６は、上レール１及び幕板５の端部カバー材である。
【０００９】
本実施による間仕切りの施工手順を図３（ａ）〜（ｄ）と図４（ａ）〜（ｄ）に基づいて説明する。
第一の手順として図３（ａ）のように、天井１０の内周側上部に予め中子２を固定してある上レール１をネジ７で固定し、床１１に下金具３をネジ７で固定し、図４（ａ）のように、桟４の上キャップ１２の凹部１４の中子挿入空間２９を上レール１の中子２に下方から挿し込む。第二の手順として図３（ｂ）のように、桟４を起こしながら中子挿入空間２９にある中子２を中子受け部２８に移動させ、さらに、図４（ｂ）のように、桟４の下キャップ１３を予め床１１に固定してある下金具３に落とし込むことで、桟４を倹飩式に取り付ける。第三の手順として図３（ｃ）と図４（ｃ）のように、桟４の上キャップ１２の凹部１４の中子挿入空間２９に固定ピース１５を入れ、さらに、図４（ｄ）のように、調整ネジ２７で固定ピース１５を中子２のコーナー部２ａと上キャップ１２の間で突っ張らせることにより、上キャップ１２と中子２を固定する。第四の手順として図３（ｄ）ように、上レール１の一側と他側の外側見付け面に設けてある幕板取付部６に幕板５の上レール取付部５ａをそれぞれ取り付けることにより、本実施による間仕切りの施工が完了する。
【００１０】
上キャップ１２を中子２に固定する手段として、上記実施形態では固定ピース１５を入れて調整ネジ２７で突っ張らせるものについて記載したが、その固定手段については他のものであってもよく、例えば、中子挿入空間２９に固定ピース１５を入れ、桟４の周壁外側から調整ネジ２７を挿入して固定ピース１５を押して中子２を固定するものであってもよい。これにより、現場で桟４を個々に取り付けることができるため、現場に組み立て済みの重い障子やフェンスなどを持ち込まなくてもよくなるので作業負担が少なく施工性が向上する。また、上記実施形態のように、見付け寸法と見込み寸法が違う桟４を使用すれば、桟４の立て付け方向を変えることで意匠を変更できるようになる。その場合の桟４の外形は横断面形状が正方形や円形以外のものであればよい。さらに、本発明の間仕切りは現場で容易に施工できるため、図５（ａ）（ｂ）のように、桟４の建て込む方向を自在に変更できる。したがって、色の異なる桟４の中から、施主が好みの桟４の色や桟４の配置順、あるいは桟４の向きを自由に選んで施工できる。また、本発明の間仕切りのうち上記実施形態のものでは、固定ピース１５が桟４の斜め方向から工具を挿し込んで調整ネジ２７を止めるようにしてあるが、固定ピース１５を桟４の正面から調整ネジ２７で取り付けるタイプのものを使用したときには、桟４の向きを９０°変えて施工した場合に、調整ネジ２７を桟４の側面から取り付けなければならず、このことから、固定ピース１５を固定する桟４の隣りに別の桟４があるときには邪魔になるため、施工が困難となるが、上記実施形態のように、固定ピース１５を斜めからネジ２７で止める構造とすることにより、桟４の向きを変えて取り付けても容易にネジ２７でネジ止めできる。また、中子２は、中子受け部２８の壁部３０の内面３０ａと接触して回転不能となるものであればよく、例えば、図６（ａ）（ｂ）のように、凹凸が連続する外周面を有するものでもよく、この場合でも、中子２の外周面の各凸部２ｂが中子受け部２８の壁部３０の内面３０ａにそれぞれ接触することで、中子２を回転不能に固定することが可能である。
【符号の説明】
【００１１】
１  上レール
２  中子
３  下金具
４  桟
１０  天井
１１  床
１６  下金具被取付部（被取付部）
２８  中子受け部
２９  中子挿入空間
３０ａ  内面
【図１】
0005779520.tif 000002
【図２】
0005779520.tif 000003
【図３】
0005779520.tif 000004
【図４】
0005779520.tif 000005
【図５】
0005779520.tif 000006
【図６】
0005779520.tif 000007
【図７】
0005779520.tif 000008